(57)【要約】      （修正有）【課題】トップ下着における胴部の裾部や各腕部の袖部、あるいはボトム下着における各脚部の裾部等を、別部材からなる伸縮材を用いることなく適度に締付け得るようにした肌着を提供する。【解決手段】トップ下着１やボトム下着２の筒状部Ｐを伸縮可能な糸で連続して伸縮弾性編した肌着において、筒状部Ｐの基部側Ｐａを伸縮無地組織としている一方、筒状部Ｐの先部側Ｐｂの所定長さ範囲に生地を周方向に絞り込んだ縦リブ組織３を設けていることにより、開口部のずり上がりを防止するとともに、肌への締め後が付かないようにしている。【選択図】図１
0003125868.tif 000002
【実用新案登録請求の範囲】
【請求項１】
トップ下着（１）の胴部（１１）や各腕部（１２）、又はボトム下着（２）の各脚部（２１）等の筒状部（Ｐ）を伸縮可能な糸で連続して伸縮弾性編した肌着であって、
前記筒状部（Ｐ）の基部側（Ｐａ）を伸縮無地組織としている一方、筒状部（Ｐ）の先端開口縁（Ｐｃ）から基部側（Ｐａ）に所定長さ（Ｌ１，Ｌ２，Ｌ３）までの先部側（Ｐｂ）に、生地を周方向に絞り込んだ縦リブ組織（３）を設けている、
ことを特徴とする肌着。
【考案の詳細な説明】
【技術分野】
【０００１】
本願考案は、トップ下着（例えば婦人用のアンダーシャツ）やボトム下着（例えば婦人用で７分丈タイツ、５分丈タイツ、３分丈タイツ）等の肌着に関し、特に胴部や腕部や脚部等の筒状部を伸縮可能な糸で連続して伸縮弾性編した肌着に関するものである。
【背景技術】
【０００２】
この種の肌着、特に婦人用の肌着には、フイット性を良くするために伸縮可能な糸で伸縮弾性編した薄手の生地が使用されている。そして、婦人用のアンダーシャツでは、胴部と各腕部をそれぞれ伸縮可能な糸で連続して筒状に編成している。又、婦人用の７分丈タイツ等でも、各脚部を伸縮可能な糸で連続して筒状に編成している。
【０００３】
尚、この種の肌着に使用される伸縮可能な糸としては、糸自体に伸縮性がある弾性糸（例えばポリウレタン系弾性糸）や伸縮性の乏しい糸を伸縮可能に加工した加工糸（例えばウーリー加工糸、カバーリング糸、コンジュゲート糸、複合糸等）が採用されている。
【０００４】
ところで、この種の婦人用肌着において、生地の伸縮弾性力だけでは、胴部や各脚部の裾部あるいは各腕部の袖部等の開口部付近に締付け力が乏しく、着用状態で開口部付近がずり上がり易くなる。
【０００５】
そこで、この種の婦人用肌着の中には、裾部や袖部等の開口部に伸縮材（伸縮テープや糸ゴム）を用いて開口部の締付け力を大きくし、それによって裾部や袖部がずり上がらないようにしたものがある。尚、この種の肌着において、開口部に用いられる伸縮部の幅は１〜２cm程度である。
【考案の開示】
【考案が解決しようとする課題】
【０００６】
ところが、上記のように、肌着における裾部や袖部等の開口部がずり上がるのを防止するために、該開口部に伸縮材を用いて締付けるようにしたものでは、その締付け部の幅が狭いのでその締付け力を強くしないと比較的容易にずり上がってしまい、他方、その締付け力が強いと肌に締め後が付いたり血行障害を起こすおそれがあるという問題があった。又、開口部に伸縮材を用いるものでは、別に伸縮材（伸縮テープや糸ゴム）が必要であるとともに、該伸縮材の組付け工程（又は編み込み工程）が必要となって、その加工工程が面倒になるという問題もあった。
【０００７】
そこで、本願考案は、トップ下着における胴部の裾部や各腕部の袖部、あるいはボトム下着における各脚部の裾部等を、別部材からなる伸縮材を用いることなく適度に締付け得るようにした肌着を提供することを目的としている。
【課題を解決するための手段】
【０００８】
本願考案は、上記課題を解決するための手段として次の構成を有している。尚、本願考案は、トップ下着の胴部や各腕部、又はボトム下着の各脚部等の筒状部を伸縮可能な糸で連続して伸縮弾性編している肌着を対象にしている。又、本願でいう伸縮可能な糸とは、上記したように糸自体に伸縮性がある弾性糸（例えばポリウレタン系弾性糸）や伸縮性の乏しい糸を伸縮可能に加工した加工糸（例えばウーリー加工糸、カバーリング糸、コンジュゲート糸、複合糸等がある）等を総称するもので、以下の説明ではこの伸縮可能な糸を単に伸縮糸という。
【０００９】
本願の肌着において、トップ下着の胴部や各腕部あるいはボトム下着の各脚部等は、上記の伸縮糸により丸編機でそれぞれ筒状に伸縮弾性編されている。そして、それらの筒状部の適所同士を縫合して、本願のトップ下着あるいはボトム下着等の肌着に縫製される。尚、以下の説明では、トップ下着の胴部や各腕部あるいはボトム下着の各脚部等を総称して筒状部という。
【００１０】
本願の肌着では、各筒状部は、その基部側を伸縮無地組織としている一方、その先端開口縁から基部側に所定長さまでの先部側に生地を周方向に絞り込んだ縦リブ組織を設けて構成している。
【００１１】
本願でいう伸縮無地組織とは、例えば、プレーン編、鹿子タックメッシュ、鹿子スパイラルメッシュ、鹿子タックと鹿子スパイラルを組み合わせた編組織等で、伸縮可能な無地状態（凹凸のない状態）で編成したものである。他方、本願でいう縦リブ組織とは、多数の縦リブを周方向に小間隔をもって筒状部の周方向に並設したものである。又、この縦リブ組織は、筒状部先部側の全周（全面）に連続して形成したものでもよく、あるいは縦リブを所定本数（例えば２０〜５０本）だけ並設した所定幅（例えば２〜５cm幅）の縦リブ群を所定間隔（例えば２〜５cm幅）をもって筒状部先部側の周方向に間欠配置させたものでもよい。尚、この縦リブ組織部分は、各縦リブが直線状のものでもよいし波形等の非直線状のものでもよい。
【００１２】
本願の肌着の各筒状部は、全長さに亘って丸編機で連続して編成されているが、筒状部基部側の伸縮無地組織は無地状態（凹凸のない平地状態）に編成されており、筒状部先部側の縦リブ組織は筒状部基部側の平地部分（伸縮無地組織部分）に連続してフロート編又は（及び）タック編により編成されている。尚、フロート編又は（及び）タック編という表現は、フロート編又はタック編のいずれか一方でもよいし、フロート編とタック編の併用でもよいという意味である。
【００１３】
この縦リブ組織の形成長さは、特に限定するものではないが、例えば、トップ下着胴部の裾部では約２０cm、トップ下着腕部の袖部では約１０cm、ボトム下着脚部の裾部では約１０cm、程度がそれぞれ適当である。
【００１４】
筒状部基部側の伸縮無地組織は、着用状態で適度にフイットする程度の弾性を有している。又、筒状部先部側（裾部又は袖部）は、縦リブ組織によって周方向に若干絞り込まれているので、該筒状部先部側の周方向長さが筒状部基部側の周方向長さより若干短くなっている。又、筒状部先部側の縦リブ組織部分は、所定長さ（例えば１０cm、又は２０cm程度）を有している。
【００１５】
従って、本願の肌着では、筒状部先部側が縦リブ組織により所定長さ範囲に亘って周方向に絞り込まれているので、着用状態において筒状部先部側が肌に対して適度に圧迫するようになる。
【考案の効果】
【００１６】
本願考案の肌着によれば、トップ下着やボトム下着の筒状部先部側の所定長さ範囲に、生地を周方向に絞り込んだ縦リブ組織部分を設けているので、次のような効果がある。
【００１７】
(1) この肌着を着用したときに、裾部や袖部等が適度に締め付けられて開口部がずり上がりにくくなるとともに、その締め付け面積が広いので肌に締め後が付いたり血行障害を起こすことがない。
【００１８】
(2) 素材（生地）そのものの弾性力に頼らず、縦リブ組織による締付け力を利用しているので、よりソフトで自然な締付け力を得ることができる（装着感が良好となる）。
【００１９】
(3) この肌着では、丸編機により筒状部基部側を環状に無地編成するのに続いて筒状部先部側をフロート編又は（及び）タック編することで該筒状部先部側に縦リブ組織を形成しているので、裾部や袖部を適度に締め付け得るようにしたものでも、特別な伸縮材が不要となり且つ該伸縮材の取付加工も不要となる。
【実施例】
【００２０】
以下、図１〜図３を参照して本願実施例の肌着を説明すると、図１及び図２にはトップ下着１を採用した第１実施例が示され、図３にはボトム下着２を採用した第２実施例が示されている。尚、図２は、図１の胴部先部側Ｐｂを筒状に広げた状態でのII−II断面の拡大概略図である。
【００２１】
図１及び図２の第１実施例
この第１実施例には、トップ下着１として婦人用のアンダーシャツが示されているが、このトップ下着１は、それぞれ筒状に編成された胴部１１と両腕部１２，１２を有している。胴部１１及び各腕部１２，１２は、それぞれ丸編機により上記した伸縮糸で全長さ範囲を連続して伸縮弾性編されている。そして、各腕部１２，１２の付け根部分を胴部１１の脇部分に縫着してトップ下着（アンダーシャツ）１に縫製されている。尚、この第１実施例では、胴部１１及び各腕部１２，１２がそれぞれ実用新案登録請求の範囲中の筒状部Ｐとなるものである。
【００２２】
胴部１１（筒状部Ｐ）は、基部側Ｐａを環状の伸縮無地組織（凹凸のない平地部）としている一方、先部側Ｐｂをその先端開口縁Ｐｃから基部側に所定長さＬ1（例えば２０cm程度）だけ生地を周方向に絞り込んだ縦リブ組織３としている。
【００２３】
この縦リブ組織３部分は、丸編機でフロート編又は（及び）タック編することにより多数の縦リブ３１，３１・・を周方向に小間隔（例えば１mm間隔）をもって形成したものである。尚、縦リブ組織３部分は、この実施例では多数の縦リブ３１，３１・・を筒状部先部側Ｐｂの全周（全面）に連続して並設しているが、他の実施例では縦リブ３１を所定本数（例えば２０〜５０本）だけ並設した所定幅（例えば２〜５cm幅）の縦リブ群を所定間隔（例えば２〜５cm幅）をもって筒状部の周方向に間欠配置させたものでもよい。又、この実施例では、縦リブ組織３部分は、直線状の縦リブ３１，３１・・を使用したものであるが、他の実施例では各縦リブとして波形等の非直線状のものを使用してもよい。
【００２４】
このように、胴部先部側Ｐｂに縦リブ組織３を形成すると、該胴部先部側Ｐｂの生地が周方向に絞り込まれて、該胴部先部側（縦リブ組織部分）Ｐｂの幅Ｎ1が胴部基部側（伸縮無地組織部分）Ｐａの幅Ｍ1より若干狭くなる。従って、この胴部先部側Ｐｂ（縦リブ組織部分）は、周方向に絞り込まれている分、着用状態において胴部基部側Ｐａ（伸縮無地組織部分）より圧迫度が強くなる。
【００２５】
他方、各腕部１２，１２（筒状部Ｐ）も、それぞれ基部側Ｐａを環状の無地部（伸縮無地組織）としている一方、先部側Ｐｂをその先端開口縁Ｐｃから基部側に所定長さＬ2（例えば１０cm程度）だけ生地を周方向に絞り込んだ縦リブ組織３としている。この各腕部１２，１２の縦リブ組織３，３部分も、丸編機でフロート編又は（及び）タック編することにより多数の縦リブ３１，３１・・を周方向に小間隔（例えば１mm間隔）をもって形成したものである。このように、腕部先部側Ｐｂに縦リブ組織３を形成すると、該腕部先部側Ｐｂの生地が周方向に絞り込まれて、該腕部先部側（縦リブ組織部分）Ｐｂの幅Ｎ2が胴部基部側（無地部）Ｐａの幅Ｍ2より若干短くなる。従って、この腕部先部側Ｐｂ（縦リブ組織部分）は、周方向に絞り込まれている分、着用状態において腕部基部側Ｐａ（伸縮無地組織部分）より圧迫度が強くなる。
【００２６】
そして、この第１実施例のトップ下着（アンダーシャツ）１では、胴部１１及び各腕部１２，１２の各先部側Ｐｂに生地を周方向に絞り込んだ縦リブ組織３部分を設けているので、このトップ下着１を着用したときに、裾部や袖部等が適度に締め付けられてずり上がりにくくなる。又、各縦リブ組織３部分は、その締付け面積が広い（締付け力が分散される）ので肌に締め後が付いたり血行障害を起こすことがない。又、素材（生地）そのものの弾性力に頼らず、縦リブ組織３による締付け力を利用しているので、よりソフトで自然な締付け力を得ることができる（装着感が良好となる）。さらに、このトップ下着１では、丸編機により各筒状部Ｐ（胴部１１、各腕部１２）の基部側Ｐａを環状に無地編成するのに続いて筒状部先部側Ｐｂをフロート編又は（及び）タック編することで該筒状部先部側Ｐｂ（胴部の裾部、腕部の袖部）に縦リブ組織３を形成しているので、裾部や袖部を適度に締め付け得るようにしたものでも、特別な伸縮材が不要となり且つ該伸縮材の取付加工も不要となる。
【００２７】
図３の第２実施例
図３に示す第２実施例には、肌着（ボトム下着２）として婦人用の７分丈タイツが示されている。尚、この種のボトム下着２としては、上記７分丈タイツのほかに、５分丈タイツや３分丈タイツ（パンツ）もある。
【００２８】
このボトム下着２は、それぞれ筒状に編成された各脚部２１，２１を、それぞれ丸編機により上記の伸縮糸で全長さ範囲を連続して伸縮弾性編している。そして、各脚部２１，２１の上部内側部分同士を縫着してボトム下着（７分丈タイツ）２に一体化させている。尚、この第２実施例では、各脚部２１，２１がそれぞれ実用新案登録請求の範囲中の筒状部Ｐとなるものである。
【００２９】
各脚部２１，２１（筒状部Ｐ）は、基部側Ｐａを環状に無地編成（伸縮無地組織）としている一方、先部側Ｐｂをその先端開口縁Ｐｃから基部側に所定長さＬ3（例えば１０cm程度）だけ生地を周方向に絞り込んだ縦リブ組織３としている。この各脚部２１，２１の縦リブ組織３部分も、丸編機でフロート編又は（及び）タック編することにより多数の縦リブ３１，３１・・を周方向に小間隔（例えば１mm間隔）をもって形成したものである。このように、脚部先部側Ｐｂに縦リブ組織３を形成すると、該脚部先部側Ｐｂの生地が周方向に絞り込まれて、該２１先部側（縦リブ組織部分）Ｐｂの幅Ｎ3が筒状部基部側（伸縮無地組織部分）Ｐａの幅Ｍ3より若干狭くなる。従って、この脚部先部側Ｐｂ（縦リブ組織部分）は、周方向に絞り込まれている分、装着状態において２１基部側Ｐａ（伸縮無地組織）より圧迫度が強くなる。
【００３０】
この第２実施例のボトム下着（７分丈タイツ）２においても、各脚部２１，２１の先部側（袖部）Ｐｂに縦リブ組織３部分を設けているので、このボトム下着２を着用したときに、各裾部Ｐｂが適度に締め付けられて開口部がずり上がりにくくなり、且つ各縦リブ組織３部分の面積が広い（締付け力が分散される）ので肌に締め後が付いたり血行障害を起こすことがない。又、素材（生地）そのものの弾性力に頼らず、縦リブ組織３による締付け力を利用しているので、よりソフトで自然な締付け力を得ることができる（装着感が良好となる）。さらに、このボトム下着２も、丸編機により各筒状部Ｐ（脚部２１）の基部側Ｐａを環状に無地編成するのに続いて筒状部先部側Ｐｂをフロート編又は（及び）タック編することで該筒状部先部側（袖部）に縦リブ組織３を形成しているので、袖部を適度に締め付けうるようにしたものでも、特別な伸縮材が不要となり且つ該伸縮材の取付加工も不要となる。
【図面の簡単な説明】
【００３１】
【図１】本願第１実施例の肌着（トップ下着）の正面図である。
【図２】図１の肌着の胴部を筒状に広げた状態でのII−II断面の拡大概略図である。
【図３】本願第２実施例の肌着（ボトム下着）の正面図である。
【符号の説明】
【００３２】
１はトップ下着、２はボトム下着、３は縦リブ組織、１１は胴部、１２は腕部、２１は脚部、３１は縦リブ、Ｐは筒状部、Ｐａは筒状部基部側、Ｐｂは筒状部先部側、Ｐｃは先端開口縁である。
【図１】
0003125868.tif 000003
【図２】
0003125868.tif 000004
【図３】
0003125868.tif 000005